(57)【要約】【課題】 発呼時に使用する相手先情報を有効に記憶表示できるようにして発呼の操作性を向上した通信端末装置を提供する。【解決手段】 通話履歴に係わる相手先情報をメモリ領域に記憶するとともに、該通話履歴に係わる相手先情報のうちの使用頻度の高い相手先情報を消去不可に設定し、このメモリ領域に記憶した相手先情報を表示部の表示して発呼する。このメモリ領域は、先頭アドレスと最終アドレスとを論理的に接続したリングバッファから構成し、該メモリ領域の最終アドレスに使用頻度の高い特定の相手先を示す固定の第１の相手先情報を格納するとともに先頭アドレスから順に過去に発着呼した相手先に対応する第２の相手先情報を新しい順に整列して格納し、初期状態において先頭アドレスに格納された最新の第２の相手先情報と最終アドレスに格納された固定の第１の相手先情報とをスクロール可能に表示部に表示する。【選択図】  図１
2008054343.tif 000002
【特許請求の範囲】
【請求項１】
相手先と通信を行った場合に、複数の通信を行った相手先情報を記憶することができる記憶手段と、
前記記憶手段に記憶された複数の相手先情報を予め決められた順序で表示する表示手段と、
相手先情報を表示させる操作を行う第１操作手段と、
少なくとも上下方向にスクロールさせるための操作を行う第２操作手段と、
前記第１操作手段による相手先情報を表示させる操作がなされた初期状態において、表示手段に通信を行った最新の相手先情報を前記予め決められた順序の先頭として表示するように制御し、
初期状態から上方向にスクロールする操作が第２操作手段によってなされると前記予め決められた順序における最終順の相手先情報を表示するように制御し、
初期状態から下方向にスクロールする操作が第２操作手段によってなされると前記予め決められた順序における先頭の相手先情報の次の順序の相手先情報を表示するように制御する制御手段と
を有することを特徴とする通信端末装置。
【請求項２】
発呼を行った第１相手先情報と着信したときの第２相手先情報をそれぞれ複数記憶することができる記憶手段と、
前記記憶手段に記憶された複数の第１相手先情報あるいは複数の第２相手先情報を予め決められた順序で表示する表示手段と、
前記第１相手先情報を表示させる操作を行う第１操作手段と、
上下左右方向にスクロールさせるための操作を行う第２操作手段と、
前記第１操作手段による第１相手先情報を表示させる操作がなされた初期状態において、表示手段に最新の発呼を行った第１相手先情報を前記予め決められた順序の先頭として表示するように制御し、
初期状態から上方向にスクロールする操作が第２操作手段によってなされると前記予め決められた順序の最終順の第１相手先情報を表示するように制御し、
初期状態から下方向にスクロールする操作が第２操作手段によってなされると前記予め決められた順序における先頭の第１相手先情報の次の順序の第１相手先情報を表示するように制御し、
初期状態から左または右方向にスクロールする操作が第２操作手段によってなされると最新の着信を受けた前記第２相手先情報を予め決められた順序の先頭として表示するように制御する制御手段と
を有することを特徴とする通信端末装置。
【請求項３】
前記制御手段は、更に
前記最新の着信を受けた前記第２相手先情報を表示している状態から上方向にスクロールする操作が第２操作手段によってなされると、前記予め決められた順序の最終順の第２相手先情報を表示するように制御し、
前記最新の着信を受けた前記第２相手先情報を表示している状態から下方向にスクロールする操作が第２操作手段によってなされると、前記予め決められた順序における先頭の第２相手先情報の次の順序の第２相手先情報を表示するように制御することを特徴とする請求項２に記載の通信端末装置。
【請求項４】
発呼を行った第１相手先情報、着信したときの第２相手先情報、及びメールを送信することができる第３相手先情報をそれぞれ複数記憶することができる記憶手段と、
前記記憶手段に記憶された複数の第１相手先情報、複数の第２相手先情報、及び複数の第３相手先情報のうちの１種類の相手先情報を予め決められた順序で表示する表示手段と、
前記第１相手先情報を表示させる操作を行う第１操作手段と、
上下左右方向にスクロールさせるための操作を行う第２操作手段と、
前記第１操作手段による第１相手先情報を表示させる操作がなされた初期状態において、表示手段に最新の発呼を行った第１相手先情報を前記予め決められた順序の先頭として表示するように制御し、
初期状態から上方向にスクロールする操作が第２操作手段によってなされると前記予め決められた順序の最終順の第１相手先情報を表示するように制御し、
初期状態から下方向にスクロールする操作が第２操作手段によってなされると前記予め決められた順序における先頭の第１相手先情報の次の順序の第１相手先情報を表示するように制御し、
初期状態から右方向にスクロールする操作が第２操作手段によってなされると最新の着信を受けた前記第２相手先情報を予め決められた順序の先頭として表示するように制御し、
初期状態から左方向にスクロールする操作が第２操作手段によってなされると最優先の前記第３相手先情報を予め決められた順序の先頭として表示するように制御する制御手段と
を有することを特徴とする通信端末装置。
【請求項５】
発呼を行った第１相手先情報、着信したときの第２相手先情報、及びメールを送信することができる第３相手先情報をそれぞれ複数記憶することができる記憶手段と、
前記記憶手段に記憶された複数の第１相手先情報、複数の第２相手先情報、及び複数の第３相手先情報のうちの１種類の相手先情報を予め決められた順序で表示する表示手段と、
前記第１相手先情報を表示させる操作を行う第１操作手段と、
上下左右方向にスクロールさせるための操作を行う第２操作手段と、
前記第１操作手段による第１相手先情報を表示させる操作がなされた初期状態において、表示手段に最新の発呼を行った第１相手先情報を前記予め決められた順序の先頭として表示するように制御し、
初期状態から上方向にスクロールする操作が第２操作手段によってなされると前記予め決められた順序の最終順の第１相手先情報を表示するように制御し、
初期状態から下方向にスクロールする操作が第２操作手段によってなされると前記予め決められた順序における先頭の第１相手先情報の次の順序の第１相手先情報を表示するように制御し、
初期状態から右方向にスクロールする操作が第２操作手段によってなされると最優先の前記第３相手先情報を予め決められた順序の先頭として表示するように制御し、
初期状態から左方向にスクロールする操作が第２操作手段によってなされると最新の着信を受けた前記第２相手先情報を予め決められた順序の先頭として表示するように制御する制御手段と
を有することを特徴とする通信端末装置。
【請求項６】
前記制御手段は、更に
前記最新の着信を受けた前記第２相手先情報を表示している状態から上方向にスクロールする操作が第２操作手段によってなされると、前記予め決められた順序の最終順の第２相手先情報を表示するように制御し、
前記最新の着信を受けた前記第２相手先情報を表示している状態から下方向にスクロールする操作が第２操作手段によってなされると、前記予め決められた順序における先頭の第２相手先情報の次の順序の第２相手先情報を表示するように制御することを特徴とする請求項４又は５に記載の通信端末装置。
【請求項７】
前記制御手段は、更に
前記最優先の第３相手先情報を表示している状態から上方向にスクロールする操作が第２操作手段によってなされると、前記予め決められた順序の最終順の第３相手先情報を表示するように制御し、
前記最優先の第３相手先情報を表示している状態から下方向にスクロールする操作が第２操作手段によってなされると、前記予め決められた順序における最優先の第３相手先情報の次の順序の第３相手先情報を表示するように制御することを特徴とする請求項４または５に記載の通信端末装置。
【請求項８】
前記制御手段は、
前記表示手段にいずれの前記第１の相手先情報を表示している状態においても、第２操作手段によって右方向にスクロールする操作されれば、予め決められた順序の最も優先される第２相手先情報を表示するように制御することを特徴とする請求項２乃至４のうちいずれか１項に記載の通信端末装置。
【請求項９】
前記制御手段は、
前記表示手段にいずれの前記第２の相手先情報を表示している状態においても、第２操作手段によって左方向にスクロールする操作されれば、予め決められた順序の最も優先される第１相手先情報を表示するように制御することを特徴とする請求項２乃至４のうちいずれか１項に記載の通信端末装置。
【発明の詳細な説明】
【技術分野】
【０００１】
この発明は、表示器に相手先情報を表示した状態で発呼操作を行うことにより該表示器に表示された相手先情報に対応する相手先に対して発呼を行うことのできる通信端末装置に関し、詳しくは表示器に対する相手先情報の管理およびその表示態様を工夫することにより操作性の向上を図った通信端末装置に関する。
【背景技術】
【０００２】
従来、携帯無線電話機等の通信端末装置においては、表示器に相手先情報を表示した状態で発呼操作を行うことにより該表示器に表示された相手先情報に対応する相手先に対して発呼を行うことができるようにした機能が設けられている。
【０００３】
かかる通信端末装置においては、例えば、１度キー操作等により入力した情報をメモリ等に記憶しておき、再度同じ情報を入力する必要がある場合には、簡易なキー操作で記憶されている情報を読み出して、該読み出された情報を表示器に表示させることで発呼操作の向上を図った、いわゆるリダイヤル機能が知られている。
【０００４】
例えば、このリダイヤル機能においては、発呼を行う際に入力した相手先電話番号をメモリに記憶しておき、再び同じ相手先への発呼を行う場合にはリダイヤルボタンを押下することでメモリに記憶した電話番号を表示器の表示画面上に呼び出して発呼を行うことができる。
【０００５】
また、メモリに複数の電話番号を記憶し、検索キーを押下することで記憶されている複数の電話番号から発呼を行いたい電話番号を選択して、これを表示器上に呼出して発呼する、いわゆる電話帳機能も知られている。
【０００６】
ここで、図１８を参照して従来の通信端末装置におけるリダイヤル機能を説明する。
【０００７】
図１８は、通信端末装置のリダイヤル機能を実現するためのメモリ内における電話番号とメモリ領域（アドレス）との関係を示した図である。
【０００８】
図１８において、メモリ領域「１」には最後に発呼した際の相手先電話番号Ｅが格納され、メモリ領域「２」には最後から２番目に発呼した相手先電話番号Ｄが格納されており、以下同様にメモリ領域「３」、「４」、「５」には最後から３、４、５番目に発呼した相手先電話番号Ｃ、Ｂ、Ａが格納されている。
【０００９】
さて、図１８（ａ）に示すようにメモリ領域「１」乃至「５」に電話番号Ａ乃至Ｅが格納されている状態で、電話番号Ｅへの発呼を行う場合にはリダイヤルボタンを１度押下してメモリ領域「１」に格納されている電話番号Ｅを呼び出し、その後発呼ボタンを押下することで電話番号Ｅへの発呼が行われる。
【００１０】
また、リダイヤルボタンを押下してメモリ領域「１」に格納されている電話番号Ｅを呼び出した後、さらにリダイヤルボタンを押下するとメモリ領域「２」に格納されている電話番号Ｄが呼び出される。さらに、電話番号Ｂへの発呼を行う場合には、リダイヤルボタンを４度続けて押下してメモリ領域「４」に格納されている電話番号Ｂを呼び出し、その後発呼ボタンを押下することになる。
【００１１】
電話番号Ｂへの発呼を行うと、メモリ領域とその格納内容の関係は図１８（ｂ）に示すように変化し、メモリ領域「１」には電話番号Ｂが格納され、１度のリダイヤルボタンの押下で電話番号Ｂが呼び出されることになる。
【００１２】
また、電話番号Ｂへの発呼を行った後で、通常のボタン操作（数字ボタンの押下）により、メモリ領域「１」乃至「５」のいずれにも格納されていない電話番号Ｆへの発呼を行うと、メモリ領域とその格納内容の関係は図１８（ｃ）に示すようになる。
【００１３】
図１８（ｃ）に示す状態は、最後に発呼を行った電話番号Ｆがメモリ領域「１」に格納され、図１８（ｂ）の状態でメモリ領域「１」乃至「４」に格納されていた電話番号Ｂ、Ｅ、Ｄ、Ｃがメモリ領域「２」乃至「５」にシフトされるとともに、図１８（ｂ）の状態でメモリ領域「５」に格納されていた電話番号Ａが消去された状態であり、メモリにはこのように常に最新５回の発呼の際の相手先電話番号が格納されることになる。
【００１４】
したがって、このメモリに格納されている電話番号は使用頻度の高い電話番号であることが多く、また、リダイヤルボタンの押下のみで呼び出すことのできる電話番号であるために短縮ダイヤル機能よりも操作が容易であり、このリダイヤル機能は、通信端末装置が有する機能のうち利用頻度の高い機能の１つであると言える。
【００１５】
ところが、使用頻度の低い電話番号への発呼を連続して行うと、リダイヤル機能のための電話番号を記憶するメモリには、使用頻度の低い電話番号ばかりが記憶され、使用頻度の高い電話番号が消去されてしまうことになる。このような場合に消去されてしまった使用頻度の高い電話番号への発呼をしようとしたときには利用者は、通常の数字ボタンの操作や短縮ダイヤル機能の使用を行って発呼動作を行わなければならず、リダイヤル機能を多用している利用者には不便な結果となってしまい、リダイヤル機能の効果の低減にもなってしまう。
【００１６】
なお、リダイヤル機能を有する通信端末装置としては特許文献１に開示されたものが知られている。
【特許文献１】特開平０７−５８８１８号公報
【発明の開示】
【発明が解決しようとする課題】
【００１７】
そこで、この発明は、発呼時に使用する相手先情報を有効に記憶表示できるようにして発呼の操作性を向上した通信端末装置を提供することを目的とする。
【課題を解決するための手段】
【００１８】
上記目的を達成するため、請求項１の発明は、相手先と通信を行った場合に、複数の通信を行った相手先情報を記憶することができる記憶手段と、前記記憶手段に記憶された複数の相手先情報を予め決められた順序で表示する表示手段と、相手先情報を表示させる操作を行う第１操作手段と、少なくとも上下方向にスクロールさせるための操作を行う第２操作手段と、前記第１操作手段による相手先情報を表示させる操作がなされた初期状態において、表示手段に通信を行った最新の相手先情報を前記予め決められた順序の先頭として表示するように制御し、初期状態から上方向にスクロールする操作が第２操作手段によってなされると前記予め決められた順序における最終順の相手先情報を表示するように制御し、初期状態から下方向にスクロールする操作が第２操作手段によってなされると前記予め決められた順序における先頭の相手先情報の次の順序の相手先情報を表示するように制御する制御手段とを有することを特徴とする。
【００１９】
また、請求項２の発明は、発呼を行った第１相手先情報と着信したときの第２相手先情報をそれぞれ複数記憶することができる記憶手段と、前記記憶手段に記憶された複数の第１相手先情報あるいは複数の第２相手先情報を予め決められた順序で表示する表示手段と、前記第１相手先情報を表示させる操作を行う第１操作手段と、上下左右方向にスクロールさせるための操作を行う第２操作手段と、前記第１操作手段による第１相手先情報を表示させる操作がなされた初期状態において、表示手段に最新の発呼を行った第１相手先情報を前記予め決められた順序の先頭として表示するように制御し、初期状態から上方向にスクロールする操作が第２操作手段によってなされると前記予め決められた順序の最終順の第１相手先情報を表示するように制御し、初期状態から下方向にスクロールする操作が第２操作手段によってなされると前記予め決められた順序における先頭の第１相手先情報の次の順序の第１相手先情報を表示するように制御し、初期状態から左または右方向にスクロールする操作が第２操作手段によってなされると最新の着信を受けた前記第２相手先情報を予め決められた順序の先頭として表示するように制御する制御手段とを有することを特徴とする。
【００２０】
また、請求項３の発明は、請求項２の発明において、前記制御手段は、更に前記最新の着信を受けた前記第２相手先情報を表示している状態から上方向にスクロールする操作が第２操作手段によってなされると、前記予め決められた順序の最終順の第２相手先情報を表示するように制御し、前記最新の着信を受けた前記第２相手先情報を表示している状態から下方向にスクロールする操作が第２操作手段によってなされると、前記予め決められた順序における先頭の第２相手先情報の次の順序の第２相手先情報を表示するように制御することを特徴とする。
【００２１】
また、請求項４の発明は、発呼を行った第１相手先情報、着信したときの第２相手先情報、及びメールを送信することができる第３相手先情報をそれぞれ複数記憶することができる記憶手段と、前記記憶手段に記憶された複数の第１相手先情報、複数の第２相手先情報、及び複数の第３相手先情報のうちの１種類の相手先情報を予め決められた順序で表示する表示手段と、前記第１相手先情報を表示させる操作を行う第１操作手段と、上下左右方向にスクロールさせるための操作を行う第２操作手段と、前記第１操作手段による第１相手先情報を表示させる操作がなされた初期状態において、表示手段に最新の発呼を行った第１相手先情報を前記予め決められた順序の先頭として表示するように制御し、初期状態から上方向にスクロールする操作が第２操作手段によってなされると前記予め決められた順序の最終順の第１相手先情報を表示するように制御し、初期状態から下方向にスクロールする操作が第２操作手段によってなされると前記予め決められた順序における先頭の第１相手先情報の次の順序の第１相手先情報を表示するように制御し、初期状態から右方向にスクロールする操作が第２操作手段によってなされると最新の着信を受けた前記第２相手先情報を予め決められた順序の先頭として表示するように制御し、初期状態から左方向にスクロールする操作が第２操作手段によってなされると最優先の前記第３相手先情報を予め決められた順序の先頭として表示するように制御する制御手段とを有することを特徴とする。
【００２２】
また、請求項５の発明は、発呼を行った第１相手先情報、着信したときの第２相手先情報、及びメールを送信することができる第３相手先情報をそれぞれ複数記憶することができる記憶手段と、前記記憶手段に記憶された複数の第１相手先情報、複数の第２相手先情報、及び複数の第３相手先情報のうちの１種類の相手先情報を予め決められた順序で表示する表示手段と、前記第１相手先情報を表示させる操作を行う第１操作手段と、上下左右方向にスクロールさせるための操作を行う第２操作手段と、前記第１操作手段による第１相手先情報を表示させる操作がなされた初期状態において、表示手段に最新の発呼を行った第１相手先情報を前記予め決められた順序の先頭として表示するように制御し、初期状態から上方向にスクロールする操作が第２操作手段によってなされると前記予め決められた順序の最終順の第１相手先情報を表示するように制御し、初期状態から下方向にスクロールする操作が第２操作手段によってなされると前記予め決められた順序における先頭の第１相手先情報の次の順序の第１相手先情報を表示するように制御し、初期状態から右方向にスクロールする操作が第２操作手段によってなされると最優先の前記第３相手先情報を予め決められた順序の先頭として表示するように制御し、初期状態から左方向にスクロールする操作が第２操作手段によってなされると最新の着信を受けた前記第２相手先情報を予め決められた順序の先頭として表示するように制御する制御手段とを有することを特徴とする。
【００２３】
また、請求項６の発明は、請求項４又は５の発明において、前記制御手段は、更に前記最新の着信を受けた前記第２相手先情報を表示している状態から上方向にスクロールする操作が第２操作手段によってなされると、前記予め決められた順序の最終順の第２相手先情報を表示するように制御し、前記最新の着信を受けた前記第２相手先情報を表示している状態から下方向にスクロールする操作が第２操作手段によってなされると、前記予め決められた順序における先頭の第２相手先情報の次の順序の第２相手先情報を表示するように制御することを特徴とする。
【００２４】
また、請求項７の発明は、請求項４又は５の発明において、前記制御手段は、更に前記最優先の第３相手先情報を表示している状態から上方向にスクロールする操作が第２操作手段によってなされると、前記予め決められた順序の最終順の第３相手先情報を表示するように制御し、前記最優先の第３相手先情報を表示している状態から下方向にスクロールする操作が第２操作手段によってなされると、前記予め決められた順序における最優先の第３相手先情報の次の順序の第３相手先情報を表示するように制御することを特徴とする。
【００２５】
また、請求項８の発明は、請求項２乃至４のうちいずれか１項の発明において、前記制御手段は、前記表示手段にいずれの前記第１の相手先情報を表示している状態においても、第２操作手段によって右方向にスクロールする操作されれば、予め決められた順序の最も優先される第２相手先情報を表示するように制御することを特徴とする。
【００２６】
また、請求項９の発明は、請求項２乃至４のうちいずれか１項の発明において、前記制御手段は、前記表示手段にいずれの前記第２の相手先情報を表示している状態においても、第２操作手段によって左方向にスクロールする操作されれば、予め決められた順序の最も優先される第１相手先情報を表示するように制御することを特徴とする。
【発明の効果】
【００２７】
この発明によれば、予め設定された特定の相手先を示す相手先情報と他の相手先情報とを表示器上に効率よくスクロール可能に表示するようにしたので、発呼を行う際にユーザが少ない操作で必要な相手先を取受選択することが可能になり、操作性を大幅に向上することが可能になる。
【発明を実施するための最良の形態】
【００２８】
以下、この発明に係わる通信端末装置の実施の形態を添付図面を参照して説明する。
【００２９】
図１は、この発明に係わる通信端末装置の第１の実施の形態を示すブロック図である。
【００３０】
図１において、この通信端末装置２０は、アンテナ１、送受信切換部２、送信部３、変調部４、マイクロフォン５、受信部６、復調部７、スピーカ８、制御部９、サウンダ１０、キー入力部１１、表示部１２、メモリ１３を具備して構成される。
【００３１】
また、制御部９は消去禁止部１４を有しており、消去禁止部１４の中には発呼回数計数部１５が設けられている。
【００３２】
この通信端末装置２０で通話を行う場合、発呼時にはキー入力部１２から入力された相手先電話番号か、メモリ１３に記憶されている電話番号（短縮ダイヤルやリダイヤル等）を利用して、制御部９が送信部３、送受信切換部２を介してアンテナ１から制御信号を発信して回線を接続する。
【００３３】
また、着呼時にはアンテナ１、送受信切換部２、受信部６を介して制御部９が着呼信号を受信すると、制御部９はサウンダ１０から着信音を鳴動させ、この着信音を聞いたユーザがキー入力部１１の操作を行うと、制御部９が送信部３、送受信切換部２を介してアンテナ１から着呼確認信号を発信して回線を接続する。
【００３４】
回線が接続された後も、制御部９はアンテナ１、送受信切換部２、送信部３、受信部６を介して制御信号の授受を行い、これと同時にユーザがアンテナ１、送受信切換部２、送信部３、変調部４、マイクロフォン５、受信部６、復調部７、スピーカ８を介して通話を行う。
【００３５】
さて、この通信端末装置２０は、発呼時にキー入力部１１の操作により入力した相手先情報（相手先電話番号）をメモリ１３に記憶し、再度同じ相手先電話番号に対しての発呼を行う際には、キー入力部１１の操作でメモリ１３に記憶したリダイヤルのための相手先情報を使用して発呼を行うことができるように構成されている。
【００３６】
ここで、消去されたくない相手先電話番号としてユーザが設定したい場合には、ユーザがキー入力部１１から消去したくない相手先電話番号を制御部９に登録すると、制御部９は消去禁止部１４を動作させて、メモリ１３に記憶された相手先電話番号のうちユーザが指定したものを消去しないようにする。
【００３７】
ここで、図２、図３を参照してこの第１の実施の形態におけるメモリ１３内での相手先情報（相手先電話番号）の管理について説明する。
【００３８】
図２は、図１に示した通信端末装置の処理の流れを示すフローチャート、図３は、図１に示した通信端末装置のメモリ１３内でのメモリ領域と相手先電話番号の関係を示した図である。
【００３９】
なお、図３に示すメモリ領域（アドレス）は「１」が最上位（即ち、リダイヤル操作で最初に表示される電話番号が格納される領域）であり、「５」が最下位である。
【００４０】
さて、無線通信端末装置２０の電源が投入され、その処理が開始されると（ステップ１０１）、この処理は、メモリ１３内に格納されている電話番号に対して消去禁止の設定操作があった場合（ステップ１０２）、消去禁止の解除操作があった場合（ステップ１０４）、発呼または着呼があった場合（ステップ１０６）のいずれかの事象が発生するまで待機する。
【００４１】
ここで、メモリ１３内に格納されている電話番号に対して消去禁止の設定操作があった場合は（ステップ１０２でＹＥＳ）、その対象となる電話番号に消去禁止の設定を行い（ステップ１０３）、消去禁止の解除操作があった場合には（ステップ１０４）、その対象となる電話番号に消去禁止の設定を解除する（ステップ１０５）。
【００４２】
いま、図３（ａ）に示すようにメモリ１３内のメモリ領域「１」乃至「５」に電話番号Ａ乃至Ｅが順次格納されている状態で、ユーザの操作により消去禁止部１４がメモリ領域「１」とメモリ領域「４」に格納されている電話番号Ｅと電話番号Ｂに対して消去禁止の設定を行ったとする。
【００４３】
この図３（ａ）に示す状態でメモリ領域「５」に格納されいてる電話番号Ａへの発呼を行うと（ステップ１０６でＹＥＳ）、電話番号Ａはメモリ１３内に格納されていた電話番号であるので（ステップ１０７でＹＥＳ）、消去禁止の設定がなされているメモリ領域を除いた最上位のメモリ領域に電話番号Ａを移動し、この最上位のメモリ領域と電話番号Ａが格納されていたメモリ領域の間に格納されている電話番号を順に下位のメモリ領域に移動させる（ステップ１０８）。
【００４４】
つまり、図３（ｂ）に示すようにメモリ領域「５」に格納されていた電話番号Ａ（図３（ａ）参照）を消去禁止の設定がなされているメモリ領域「１」とメモリ領域「４」を除いた最上位のメモリ領域「２」に移動し、メモリ領域「２」に格納されていた電話番号Ｄをメモリ領域「３」に、メモリ領域「３」に格納されていた電話番号Ｃをメモリ領域「５」に各々移動する。
【００４５】
次に、図３（ｂ）に示すような状態で、メモリ領域「１」乃至「５」のいずれにも格納されていない電話番号Ｆへの発呼を行うと（ステップ１０６でＹＥＳ）、電話番号Ｆはメモリ１３内に格納されていなかった電話番号であるので（ステップ１０７でＮＯ）、消去禁止の設定がなされているメモリ領域を除いた最上位のメモリ領域に電話番号Ｆを格納し、他の電話番号を順に下位のメモリ領域に移動させるとともに最下位に格納されていた電話番号を消去する（ステップ１０９）。
【００４６】
つまり、図３（ｃ）に示すように電話番号Ｆをメモリ領域「２」に格納し、メモリ領域「２」に格納されていた電話番号Ａをメモリ領域「３」に、メモリ領域「３」に格納されていた電話番号Ｄをメモリ領域「５」に各々移動し、メモリ領域「５」に格納されていた電話番号Ｃを消去する。
【００４７】
したがって、この第１の実施の形態の場合には、消去禁止部１４によって消去禁止の設定がなされているメモリ領域「１」とメモリ領域「４」との格納内容を固定し、消去禁止の設定がなされていないメモリ領域「２」、「３」、「５」の格納内容を入れ換えることで履歴情報の管理を行う。
【００４８】
この消去禁止部１４による消去禁止の設定は、「０」（設定なし）から「５」（全て設定）までの任意の数だけ行うことが可能である。ただし、消去禁止を「５」に設定してしまうとリダイヤル本来の機能が失われるため通常は「４」以下に設定する。
【００４９】
メモリ領域「１」乃至「５」のいずれにも格納されていない電話番号への発呼は、キー入力部１１の数字キーを押下して入力して行うだけでなく、着呼があった際に格納していた（メモリ１３内の別の領域に格納）電話番号を呼び出してこれを入力に変えることができる。
【００５０】
また、着呼があった際に別領域に格納される電話番号を発呼を行うことなく直接メモリ１３の履歴情報に関する領域に消去禁止の設定とともに格納させることもでき、この場合にも図３（ａ）から図３（ｂ）、図３（ｂ）から図３（ｃ）のようにメモリ領域と電話番号の関係は変化する。
【００５１】
次に、この発明に係わる通信端末装置の第２の実施の形態について説明する。
【００５２】
この第２の実施の形態においても通信端末装置の構成は、図１に示したブロック図で表され、第１の実施の形態とはメモリ１３内でのメモリ領域と相手先電話番号の関係が異なり、消去禁止部１４により消去禁止の設定を行った電話番号が格納されるメモリ領域が変化する。
【００５３】
図４は、第２の実施の形態におけるメモリ１３内でのメモリ領域と相手先電話番号の関係を示した図である。
【００５４】
いま、図４（ａ）に示すようにメモリ１３内のメモリ領域「１」乃至「５」に電話番号Ａ乃至Ｅが格納されている状態で、ユーザの操作により消去禁止部１４がメモリ領域「１」とメモリ領域「４」とに格納されている電話番号Ｅと電話番号Ｂに対して消去禁止の設定を行ったとする。
【００５５】
さて、消去禁止の設定を行った電話番号が格納されるメモリ領域を移動させる場合には、図４（ａ）に示す状態でメモリ領域「１」乃至「５」のいずれにも格納されていない電話番号Ｆへの発呼を行うと、図４（ｂ）に示すようにメモリ領域「５」に格納されていた電話番号Ａ（図４（ａ）参照）は消去され、電話番号Ｆがメモリ領域「１」に格納される。このとき、その前にメモリ領域「１」に格納されていた電話番号Ｅはメモリ領域「２」に、メモリ領域「２」に格納されていた電話番号Ｄはメモリ領域「３」に、メモリ領域「３」に格納されていた電話番号Ｃはメモリ領域「４」に、メモリ領域「４」に格納されていた電話番号Ｂはメモリ領域「５」に各々移動され、電話番号の移動と同時に消去禁止の設定アドレスも移動する。
【００５６】
次に、メモリ領域「１」乃至「５」のいずれにも格納されていない電話番号Ｇへの発呼を行うと、メモリ領域「５」に格納されている電話番号Ｂは消去禁止の設定がなされているため、図４（ｃ）に示すようにその前にメモリ領域「４」に格納されていた電話番号Ｃが消去され、電話番号Ｇがメモリ領域「１」に格納される。このとき、メモリ領域「１」に格納されていた電話番号Ｆはメモリ領域「２」に、メモリ領域「２」に格納されていた電話番号Ｅはメモリ領域「３」に、メモリ領域「３」に格納されていた電話番号Ｄはメモリ領域「４」に各々移動される。
【００５７】
次に、メモリ領域「１」乃至「５」のいずれにも格納されていない電話番号Ｈへの発呼を行うと、メモリ領域「５」に格納されている電話番号Ｂは消去禁止の設定がなされているため、図４（ｄ）に示すようにその前にメモリ領域「４」に格納されていた電話番号Ｄは消去され、電話番号Ｈがメモリ領域「１」に格納される。このとき、メモリ領域「１」に格納されていた電話番号Ｇはメモリ領域「２」に、メモリ領域「２」に格納されていた電話番号Ｆはメモリ領域「３」に、メモリ領域「３」に格納されていた電話番号Ｅはメモリ領域「４」に各々移動される。
【００５８】
さらに、メモリ領域「１」乃至「５」のいずれにも格納されていない電話番号Ｉへの発呼を行うと、メモリ領域「５」に格納されている電話番号Ｂとメモリ領域「４」に格納されている電話番号Ｅは消去禁止の設定がなされているため、図４（ｅ）に示すようにメモリ領域「３」に格納されていた電話番号Ｆが消去され、電話番号Ｉがメモリ領域「１」に格納される。このとき、メモリ領域「１」に格納されていた電話番号Ｈはメモリ領域「２」に、メモリ領域「２」に格納されていた電話番号Ｇはメモリ領域「３」に各々移動される。
【００５９】
また、図４（ｅ）に示す状態でメモリ領域「５」に格納されている電話番号Ｂを呼び出して発呼を行った場合には、図４（ｅ）に示す関係のままメモリ１３に電話番号を格納する。または、図４（ｆ）に示すようにメモリ領域「５」に格納されていた電話番号Ｂをメモリ領域「１」に消去禁止の設定とともに移動させ、メモリ領域「１」乃至「４」に格納していた電話番号を各々メモリ領域「２」乃至「５」にシフトさせて格納する。
【００６０】
このように、消去禁止の設定がなされている電話番号Ｂ、Ｅがメモリ領域「４」、「５」まで移動すると、これ以降は電話番号Ｂ、Ｅを格納するメモリ領域は移動せずにメモリ領域「１」乃至「３」で格納内容が入れ換わることになる。（ただし、上述のように電話番号Ｂ、Ｅを再発呼した場合には移動させることもある。）
また、この他にも、消去禁止を設定した電話番号をメモリ領域「１」から順に格納されるように移動して、キー入力部１２のリダイヤルボタンを押下した際に、消去禁止の設定をしている電話番号を優先的に呼び出して表示部１２に表示させることもできる。
【００６１】
なお、この消去禁止部１４による消去禁止の設定は、「０」（設定なし）から「５」（全て設定）までの任意の数だけ行う（ただし、通常は「４」以下）ことが可能である。
【００６２】
メモリ領域「１」乃至「５」のいずれにも格納されていない電話番号への発呼は、キー入力部１１の数字キーを押下して入力して行うだけでなく、着呼があった際に格納していた（メモリ１３内の別の領域に格納）電話番号を呼び出してこれを入力に変えることができる。
【００６３】
また、着呼があった際に別領域に格納される電話番号を発呼を行うことなく直接メモリ１３の履歴情報に関する領域に消去禁止の設定とともに格納させることもでき、発呼時の相手先電話番号と着呼時の相手先電話番号を区別することなく、両者を同様にメモリ１３に格納して利用することもできる。
【００６４】
次に、この発明に係わる通信端末装置の第３の実施の形態について説明する。
【００６５】
この第３の実施の形態においても通信端末装置の構成は、図１に示したブロック図で表され、第１の実施例とはメモリ１３内でのメモリ領域と相手先電話番号の関係が異なり、消去禁止部１４により消去禁止の設定を行った電話番号が所定のメモリ領域に移動され格納される。
【００６６】
図５は、第３の実施の形態におけるメモリ１３内でのメモリ領域と相手先電話番号の関係を示した図である。
【００６７】
いま、図５（ａ）に示すようにメモリ１３内のメモリ領域「１」乃至「５」に電話番号Ａ乃至Ｅが順次格納されている状態で、ユーザの操作により消去禁止部１４がメモリ領域「３」に格納されている電話番号Ｃに対して消去禁止の設定を行ったとすると、電話番号Ｃは図５（ｂ）に示すようにメモリ領域「１」に移動され、これにともなってメモリ領域「２」に格納されていた電話番号Ｄがメモリ領域「３」に、メモリ領域「１」に格納されていた電話番号Ｅがメモリ領域「２」に移動される。
【００６８】
次に、メモリ領域「１」乃至「５」のいずれにも格納されていない電話番号Ｆへの発呼を行うと、図５（ｃ）に示すようにメモリ領域「５」に格納されていた電話番号Ａ（図５（ｂ）参照）は消去され、電話番号Ｆがメモリ領域「２」に格納される。このとき、メモリ領域「２」に格納されていた電話番号Ｅはメモリ領域「３」に、メモリ領域「３」に格納されていた電話番号Ｄはメモリ領域「４」に、メモリ領域「４」に格納されていた電話番号Ｂはメモリ領域「５」に各々移動される。
【００６９】
このとき、メモリ領域「１」は消去禁止の設定がされている電話番号Ｃが格納されているため、新たな電話番号への発呼を行ってもメモリ領域「１」の格納内容が変化することはない。
【００７０】
次に、メモリ領域「２」に格納されている電話番号Ｆに対して消去禁止の設定を行うと、電話番号Ｆには消去禁止の設定がなされるがメモリ領域「１」は既に消去禁止の設定がなされているため、図５（ｄ）に示すようにメモリ領域「２」が消去禁止の領域となるが、電話番号Ｆはメモリ領域「２」に格納されていた（図５（ｃ）参照）電話番号なので、格納先が移動されることはない。
【００７１】
さらに、メモリ領域「１」乃至「５」のいずれにも格納されていない電話番号Ｇへの発呼を行うと、図５（ｅ）に示すようにメモリ領域「５」に格納されていた電話番号Ｂは消去され、電話番号Ｇがメモリ領域「３」に格納される。このとき、図５（ｅ）に示すようにメモリ領域「３」に格納されていた電話番号Ｅはメモリ領域「４」に、メモリ領域「４」に格納されていた電話番号Ｄはメモリ領域「５」に各々移動される。
【００７２】
このとき、メモリ領域「１」および「２」は消去禁止の設定がされている電話番号Ｃ、Ｆが格納されているため、新たな電話番号への発呼を行っても格納内容が変化することはない。
【００７３】
この消去禁止部１４による消去禁止の設定は、「０」（設定なし）から「５」（全て設定）までの任意の数だけ行う（ただし、通常は「４」以下）ことが可能である。
【００７４】
また、メモリ領域「１」乃至「５」のいずれにも格納されていない電話番号への発呼は、キー入力部１１の数字キーを押下して入力して行うだけでなく、着呼があった際に格納していた（メモリ１３内の別の領域に格納）電話番号を呼び出してこれを入力に変えることができる。
【００７５】
さらに、着呼があった際に別領域に格納される電話番号を発呼を行うことなく直接メモリ１３の履歴情報に関する領域に消去禁止の設定とともに格納させることもでき、図５（ｅ）に示す状態で着呼した電話番号Ｈに消去禁止の設定を行うと、電話番号Ｈは図５（ｆ）に示すようにメモリ領域「３」に格納され、メモリ領域「３」に格納されていた電話番号Ｇはメモリ領域「４」に移動され、メモリ領域「４」に格納されていた電話番号Ｅはメモリ領域「５」に移動されて、メモリ領域「５」に記憶されていた電話番号Ｄは消去される。
【００７６】
次に、この発明に係わる通信端末装置の第４の実施の形態について説明する。
【００７７】
この第４の実施の形態においても通信端末装置の構成は、図１に示したブロック図で表されるが、消去禁止部１４は発呼回数計数部１５により計数された発呼回数に基づき、ユーザの設定ではなく格納している電話番号の利用（発呼）頻度に応じて消去禁止の設定を行う。
【００７８】
図６は、第４の実施の形態におけるメモリ１３内でのメモリ領域と相手先電話番号の関係を示した図である。
【００７９】
いま、図６（ａ）に示すようにメモリ１３内のメモリ領域「１」乃至「５」に電話番号Ａ乃至Ｅが順次格納されている状態で、過去の所定期間に電話番号Ｅは３回、電話番号Ｄは２回、電話番号Ｃ、Ｂ、Ａは１回の発呼がなされたものとする。発呼回数は消去禁止部１４が具備する発呼回数計数部１５が計測し、電話番号とともにメモリ１３に記憶されている。
【００８０】
ここで、メモリ領域「４」に格納されている電話番号Ｂへの発呼を行うと、図６（ｂ）に示すように電話番号Ｂの発呼回数が２回となり、メモリ領域「２」へ格納されるとともにメモリ領域「３」に格納されていた電話番号Ｃがメモリ領域「４」へ、メモリ領域「２」に格納されていた電話番号Ｄがメモリ領域「３」へ移動される。各メモリ領域「１」乃至「５」は、発呼回数の多い電話番号から順に記憶される。
【００８１】
次に、メモリ領域「１」乃至「５」のいずれにも格納されていない電話番号Ｆへの発呼を行うと、図６（ｃ）に示すように電話番号Ｆは発呼回数を１回としてメモリ領域「４」に格納され、メモリ領域「４」に格納されていた電話番号Ｃはメモリ領域「５」に移動され、メモリ領域「５」に格納されていた電話番号Ａは消去される。
【００８２】
次に、メモリ領域「４」に格納されている電話番号Ｆへの発呼を行うと、図６（ｄ）に示すように電話番号Ｆの発呼回数が２回となり、メモリ領域「２」へ格納されるとともにメモリ領域「２」に格納されていた電話番号Ｂがメモリ領域「３」へ、メモリ領域「３」に格納されていた電話番号Ｄがメモリ領域「４」へ移動される。
【００８３】
ここで、再びメモリ領域「２」に格納されている電話番号Ｆへの発呼を行った際に、所定期間（例えば１週間や１月等の期間）が経過することによりメモリ領域「１」に格納されている電話番号Ｅの発呼回数が１回に訂正されていたとすると、図６（ｅ）に示すように電話番号Ｆは発呼回数が３回となり、メモリ領域「１」に格納されるが、電話番号Ｅの発呼回数が１回となったため、発呼回数が２回である電話番号Ｂがメモリ領域「３」からメモリ領域「２」へ、同じく発呼回数が２回である電話番号Ｄがメモリ領域「４」からメモリ領域「３」へ移動され、電話番号Ｅがメモリ領域「４」へ移動される。
【００８４】
次に、メモリ領域「１」乃至「５」のいずれにも格納されていない電話番号Ｇへの発呼を行うと、図６（ｆ）に示すように電話番号Ｇは発呼回数を１回としてメモリ領域「４」に格納され、メモリ領域「４」に格納されていた電話番号Ｅはメモリ領域「５」に移動され、メモリ領域「５」に格納されていた電話番号Ｃは消去される。
【００８５】
なお、所定の時間（例えば１時間）の間に同一電話番号への発呼を行った場合には、その電話番号は頻繁に発呼を行う相手先電話番号ではなく相手先不在のための再発呼である場合もあるため、所定の時間での同一電話番号への複数回の発呼は１回として計測することで、一時的に複数回発呼した相手先電話番号を使用頻度の高い電話番号としないこともできる。
【００８６】
なお、第２の実施の形態および第３の実施の形態においては、消去禁止部１４による消去禁止の設定の解除についての説明をしていないが、第１の実施の形態と同様にユーザ操作により消去禁止の設定の解除を行うことは可能であり、第４の実施の形態においては、ユーザの意に反した着呼の連続により使用頻度の高い電話番号として消去禁止と設定された相手先電話番号をユーザ操作により消去することが可能である。
【００８７】
なお、上述した第１の実施の形態から第４の実施の形態においては、通信端末装置ついて説明したが、この発明は通信端末装置以外にもユーザが情報を入力して使用する装置に対して適用可能であり、例えば、ファクシミリ装置やパーソナルコンピュータ等のネットワーク接続ソフトウェア等の相手先への接続、カーナビゲーションシステムにおける目的地の設定（自宅等の同一場所の設定の場合等）、ビデオデッキの録画予約装置（同一時間、同一チャンネルの予約の場合等）が挙げられる。
【００８８】
図７は、図１に示した通信端末装置２０の制御部９の制御によりメモリ１３のリダイヤル記憶領域１３０に記憶されるデータの他の具体例を示す図である。
【００８９】
図７において、リダイヤル記憶領域１３０には、制御部９の制御により、そのアドレスＡ１〜Ａ（ｎ−１）に過去の発呼若しくは着呼に係る相手先を示すデータＤ１〜Ｄ（ｎ−１）が記憶され、アドレスＡｎには、所望の固定の相手先を示すデータＦが記憶される。
【００９０】
なお、過去に発呼した相手先を示すデータは、過去の発呼時に入力若しくは選択された相手先を示すデータを保持することでリダイヤル記憶領域１３０に記憶することができ、また、過去に着呼した相手先を示すデータは、過去の着呼時に相手先から送られた相手先を示すデータを保持することでリダイヤル記憶領域１３０に記憶することができる。
【００９１】
ここで、データＤ１〜Ｄ（ｎ−１）は、例えば、相手先の電話番号を示す複数桁の数値からなるデータ若しくは相手先の電話番号に対応する予め設定された短縮番号を示すデータから構成される。なお、データＤ１〜Ｄ（ｎ−１）は、所望の相手先の電話番号に対応できるものであれば、他の数値、記号等でもよい。
【００９２】
また、データＦも、例えば、相手式の電話番号を示す複数桁の数値からなるデータ若しくは相手先の電話番号に対応する予め設定された短縮番号を示すデータから構成される。なお、このデータＦも、所望の相手先の電話番号に対応できるものであれば、他の数値、記号等でもよい。
【００９３】
この図７に示すリダイヤル記憶領域１３０は、その先頭アドレスＡ１と最終アドレスが、例えば、ポインタにより論理的にリンクされ、図８に示すようなリングバッファを構成している。
【００９４】
図８において、図１に示したキー入力部１１の図示しないリダイヤルボタンが押下された初期状態においては、ポインタ１３１によりリダイヤル記憶領域１３０の先頭アドレスＡ１が指定されている。
【００９５】
また、図１に示した表示部１２の表示画面の表示領域１２０は、図８に示すように、ポインタ１３１により指定されたリダイヤル記憶領域１３０の先頭アドレスＡ１の内容Ｄ１とこれに論理的に隣接する２つのアドレス、すなわちＡ２とＡｎの内容Ｄ２およびＦとに設定されている。
【００９６】
したがって、図１に示したキー入力部１１の図示しないリダイヤルボタンが押下された初期状態においては、図１に示した表示部１２の表示画面の表示領域１２０に、図８に示すように、リダイヤル記憶領域１３０の先頭アドレスＡ１の内容Ｄ１を中央にしてこれに論理的に隣接する２つのアドレスＡｎとＡ２の内容ＦおよびＤ２が表示される。
【００９７】
この状態で、図１に示したキー入力部１１の図示しない発呼ボタンを押下して発呼操作を行えば、表示領域１２０の中央に表示されている最新の発呼若しくは着呼に係る相手先を示すデータＤ１に対応する相手先を呼び出すことができる。
【００９８】
また、この実施の形態の通信端末装置２０によれば、図１に示したキー入力部１１の図示しないスクロールボタンの押下により、図１に示した表示部１２の表示画面の表示領域１２０の中央に表示されているデータＤ１をそのアドレスにしたがって順方向１３２若しくは逆方向１３３にスクロールできるように構成されている。
【００９９】
図９は、図１に示したキー入力部１１のスクロールボタンの押下により、図１に示した表示部１２の表示画面の表示領域１２０の中央に表示されているデータがスクロールされる様子を示したものである。
【０１００】
すなわち、図９に示す、表示部１２の表示画面の表示領域１２０の中央にデータＤ１が表示され、その上下にデータＦおよびＤ２が表示されている初期状態１２０−１において、図１に示したキー入力部１１に含まれる上スクロールボタン１１１を押下すると、表示部１２の表示画面の表示領域１２０の表示は、その中央にデータＦが表示され、その上下にデータＤ（ｎ−１）、Ｄ１が表示される状態１２０−２に遷移する。
【０１０１】
この状態で、図１に示したキー入力部１１の図示しない発呼ボタンを押下して発呼操作を行えば、表示領域１２０の中央に表示される固定の相手先を示すデータＦに対応する相手先を呼び出すことができる。
【０１０２】
また、図９に示す、初期状態１２０−１において、図１に示したキー入力部１１に含まれる下スクロールボタン１１２を押下すると、表示部１２の表示画面の表示領域１２０の表示は、その中央にデータＤ２が表示され、その上下にデータＤ１、Ｄ２が表示される状態１２０−３に遷移する。
【０１０３】
この状態で、図１に示したキー入力部１１の図示しない発呼ボタンを押下して発呼操作を行えば、表示領域１２０の中央に表示される２番目に新しい発呼若しくは着呼に係るデータＤ２に対応する相手先を呼び出すことができる。
【０１０４】
なお、状態１２０−２において、更に、上スクロールボタン１１１を押下すると、表示領域１２０の中央にデータＤ（ｎ−１）が表示され、その上下にデータＤ（ｎ−２）、Ｆが表示される状態に遷移し、また、下スクロールボタン１１２を押下すると、表示領域１２０の中央にデータＤ１が表示され、その上下にデータＦおよびＤ２が表示されている初期状態１２０−１に戻る。
【０１０５】
同様に、状態１２０−３において、更に、下スクロールボタン１１２を押下すると、表示領域１２０の中央にデータＤ３が表示され、その上下にデータＤ２、Ｄ４が表示される状態に遷移し、また、上スクロールボタン１１１を押下すると、表示領域１２０の中央にデータＤ１が表示され、その上下にデータＦおよびＤ２が表示されている初期状態１２０−１に戻る。
【０１０６】
いずれの状態においても、図１に示したキー入力部１１の図示しない発呼ボタンを押下して発呼操作を行えば、表示領域１２０の中央に表示される固定の相手先を示すデータに対応する相手先を呼び出すことができる。
【０１０７】
このような構成によると、図１に示したキー入力部１１の図示しないリダイヤルボタンを押下した初期状態１２０−１においては、図１に示した表示部１２の表示画面の表示領域１２０に、最新の発呼若しくは着呼に係る相手先を示すデータＤ１とともに所望の相手先を示すデータＦを表示させることができ、ここで、この所望の相手先を示すデータＦとして頻繁に使用する相手先のデータを記憶しておけば、図１に示したリダイヤル操作の後上スクロールボタン１１１を押下して、発呼ボタンを押下するという非常に簡単な操作により、過去の発呼、着呼履歴に係らず頻繁に使用する相手先を呼び出すことが可能になる。
【０１０８】
なお、上記所望の固定の相手先を示すデータＦとしては、ユーザがキー操作等により入力若しくは選択したものを使用してもよいが、過去に発呼若しくは着呼した相手先のデータを指定することにより記憶するように構成してもよい。
【０１０９】
また、上記実施の形態においては、所望の固定の相手先を示すデータＦが１つの場合について示したが、この所望の固定の相手先を示すデータとして複数のデータを設定することもできる。
【０１１０】
図１０は、所望の固定の相手先を示すデータが複数の場合のメモリ１３のリダイヤル記憶領域１３０に記憶されるデータの一例を示す図である。
【０１１１】
図１０において、アドレスＡ１、Ａ２、…に記憶されるデータＤ１、Ｄ２、…は、過去の発呼若しくは着呼に係る相手先を示すデータを発呼若しくは着呼が新しい順に整列して記憶したデータである。また、アドレスＡｎ、Ａ（ｎ−１）、…に記憶されるデータＦ１、Ｆ２、…は、所望の固定の相手先を示すデータをその重要度の順に整列して記憶したデータである。
【０１１２】
このような構成において、図１に示したキー入力部１１の図示しないリダイヤルボタンが押下された初期状態１２１−１においては、図１に示した表示部１２の表示画面の表示領域１２０に、図１１に示すように、リダイヤル記憶領域１３０の先頭アドレスＡ１の内容Ｄ１を中央にしてこれに論理的に隣接する２つのアドレスＡｎとＡ２の内容Ｆ１およびＤ２が表示される。
【０１１３】
この初期状態１２１−１で、図１に示したキー入力部１１に含まれる上スクロールボタン１１１を押下すると、表示部１２の表示画面の表示領域１２０の表示は、その中央にデータＦ１が表示され、その上下にデータＦ２、Ｄ１が表示される状態１２１−２に遷移する。
【０１１４】
そして、更に、上スクロールボタン１１１を押下すると、表示領域１２０の表示は、その中央にデータＦ２が表示され、その上下にデータＦ３、Ｆ１が表示される状態１２１−３に遷移し、以下同様の表示遷移を行うことができる。
【０１１５】
また、初期状態１２１−１で、図１に示したキー入力部１１に含まれる下スクロールボタン１１２を押下すると、表示部１２の表示画面の表示領域１２０の表示は、その中央にデータＤ２が表示され、その上下にデータＤ１、Ｄ３が表示される状態１２１−４に遷移する。
【０１１６】
そして、更に、下スクロールボタン１１２を押下すると、表示領域１２０の表示は、その中央にデータＤ３が表示され、その上下にデータＤ２、Ｄ４が表示される状態１２１−５に遷移し、以下同様の表示遷移を行うことができる。
【０１１７】
なお、状態１２１−３で、下スクロールボタン１１２を押下すると、表示画面の表示領域１２０の表示は状態１２１−２に遷移し、更に、下スクロールボタン１１２を押下すると、表示画面の表示領域１２０の表示は状態１２１−１に遷移する。同様に、状態１２１−５で、上スクロールボタン１１１を押下すると、表示画面の表示領域１２０の表示は状態１２１−４に遷移し、更に、上スクロールボタン１１１を押下すると、表示画面の表示領域１２０の表示は状態１２１−１に遷移する。
【０１１８】
いずれの状態においても、図１に示したキー入力部１１の図示しない発呼ボタンを押下して発呼操作を行えば、表示領域１２０の中央に表示される固定の相手先を示すデータに対応する相手先を呼び出すことができる。
【０１１９】
このような構成によると、設定した所望の複数の固定の相手先と、過去に発呼若しくは着呼した複数の相手先とに対する発呼操作を有効に利用した発呼が可能になる。
【０１２０】
なお、上記実施の形態においては、過去に発呼若しくは着呼した相手先を示すデータと所望の固定の相手先のデータとをメモリ１３内の同一のメモリ領域（リダイヤル記憶領域）に記憶するように構成したが、過去に発呼若しくは着呼した相手先を示すデータと所望の固定の相手先のデータとをメモリ１３内の別々のメモリ領域に記憶し、図１に示したキー入力部１１の図示しない左右スクロールボタンの押下により切換表示するように構成してもよい。
【０１２１】
図１２は、このように構成した場合の通信端末装置２０の制御部９の制御によりメモリ１３内のメモリ領域１３０に記憶されるデータの一例を示す図である。
【０１２２】
図１２に示す構成においては、メモリ１３内のメモリ領域として、過去に発呼若しくは着呼した相手先を示すデータＤ１〜Ｄｎを、例えば、例えば、発呼若しくは着呼の新しい順に整列して各アドレスＡ１１〜Ａ１ｎに記憶する第１のメモリ領域１３０ａ（図１２（ａ）参照）および所望の固定の相手先を示すデータＦ１〜ＦＮを、例えば、所望の重要度、若しくは所定の順番で整列して各アドレスＡ２１〜Ａ２Ｎに記憶する第２のメモリ領域１３０ｂ（図１２（ｂ）参照）が設定されている。
【０１２３】
ここで、第１のメモリ領域１３０ａおよび第２のメモリ領域１３０ｂは、図１３（ａ）および（ｂ）に示すように、先頭アドレスＡ１１と最終アドレスＡ１ｎおよび先頭アドレスＡ２１と最終アドレスＡ２Ｎをそれぞれポインタ１３１ａおよび１３１ｂで論理的にリンクしてそれぞれリンクバッファとして構成してもよい。
【０１２４】
図１４は、この場合の図１に示したキー入力部１１の図示しないスクロールボタンの押下により、図１に示した表示部１２の表示画面の表示領域１２０の中央に表示されているデータがスクロールされる様子を示したものである。
【０１２５】
なお、図１４において、表示部１２の表示画面の表示領域の中央にデータＤ１が表示され、その上下にデータＤｎおよびＤ２が表示されている初期状態１２２−１において、図１に示したキー入力部１１の下スクロールボタン１１２を押下すると、表示部１２の表示画面の表示領域１２０の表示は、その中央にデータＤ２が表示され、その上下にデータＤ１、Ｄ３が表示される状態１２２−２に遷移する。
【０１２６】
また、上記初期状態１２２−１において、図１に示したキー入力部１１の右スクロールボタン１１３を押下すると、表示領域１２０の表示は、その中央にデータＦ１が表示され、その上下にデータＦＮ、Ｆ２が表示される状態１２２−３に遷移する。
【０１２７】
この状態で、更に、下スクロールボタン１１２を押下すると、表示部１２の表示画面の表示領域１２０の表示は、その中央にデータＦ２が表示され、その上下にデータＦ１、Ｆ３が表示される状態１２２−４に遷移する。
【０１２８】
なお、状態１２２−２で上スクロールボタン１１１を押下すると、表示領域１２０の表示は初期状態１２２−１に遷移し、状態１２２−３で左スクロールボタン１１４を押下すると、表示領域１２０の表示は初期状態１２２−１に遷移し、状態１２２−４で上スクロールボタン１１１を押下すると、表示領域１２０の表示は状態１２２−３に遷移する。
【０１２９】
この場合においても、図１に示したキー入力部１１の図示しない発呼ボタンを押下して発呼操作を行えば、表示領域１２０の中央に表示される固定の相手先を示すデータに対応する相手先を呼び出すことができる。
【０１３０】
ここで、例えば、第２のメモリ領域１３０ｂに記憶するデータを、従来の電話帳機能を実現するために記憶されるデータとすれば、従来のリダイヤル機能より記憶された相手先データと電話帳機能により記憶されたデータとを有効に利用した操作性のよい発呼を行うことが可能になる。
【０１３１】
なお、図１４に示した構成において、第１のメモリ領域１３０ａのデータを表示している状態においては、いずれの状態にあっても右スクロールボタン１１３を押下すれば固定の相手先の初期画面である状態１２２−３に遷移し、第２のメモリ領域１３０ｂのデータを表示している状態においては、いずれの状態にあっても左スクロールボタン１１４を押下すれば過去に発呼若しくは着呼した相手先の初期画面である状態１２２−１に遷移するように構成してもよい。
【０１３２】
また、上記上スクロールボタン１１１、下スクロールボタン１１２、右スクロールボタン１１３、左スクロールボタン１１４は、単一のマルチファンクションキーから構成することができる。ここで、このマルチファンクションキーは、例えば略円形のキーから構成され、その上縁部、下縁部、右縁部、左縁部の押下により、上下、右左の４方向の入力が可能なように構成されており、上縁部の押下が上記上スクロールボタン１１１の押下に対応し、下縁部の押下が上記下スクロールボタン１１２の押下に対応し、右縁部の押下が上記右スクロールボタン１１３の押下に対応し、左縁部の押下が左スクロールボタン１１４の押下に対応する。
【０１３３】
図１５は、このように構成した場合の通信端末装置２０のメモリ１３内のメモリ領域１３０に記憶されるデータの一例を示す図である。
【０１３４】
図１５に示す構成において、メモリ１３内のメモリ領域１３０ａには、相手先を示すデータＤ１〜Ｄｎが所定の順に整列されて各アドレスＡ１１〜Ａ１ｎに記憶される（図１５（ａ）参照）。また、メモリ１３内のメモリ領域１３０ｂには、相手先を示すデータＦ１〜Ｆｎが所定の順に整列されて各アドレスＡ２１〜Ａ２ｎに記憶される（図１５（ｂ）参照）。また、メモリ１３内のメモリ領域１３０ｃには、相手先を示すデータＲ１〜Ｒｎが所定の順に整列されて各アドレスＡ３１〜Ａ３ｎに記憶される（図１５（ｃ）参照）。
【０１３５】
ここで、第１のメモリ領域１３０ａおよび第２のメモリ領域１３０ｂおよびメモリ領域１３０ｃは、図１６（ａ）および（ｂ）および（ｃ）に示すように、先頭アドレスＡ１１と最終アドレスＡ１ｎおよび先頭アドレスＡ２１と最終アドレスＡ２ｎおよび最終アドレスＡ３ｎおよび先頭アドレスＡ３１をそれぞれポインタ１３１ａおよび１３１ｂおよび１３１ｃで論理的にリンクしてそれぞれリンクバッファとして構成される。
【０１３６】
図１７は、この場合の図１に示したキー入力部１１の図示しないスクロールボタンの押下により、図１に示した表示部１２の表示画面の表示領域の中央に表示されているデータがスクロールされる様子を示したものである。
【０１３７】
なお、図１７において、表示部１２の表示画面の表示領域の中央にデータＤ１が表示され、その上下にデータＤｎおよびＤ２が表示されている初期状態１２２−１において、図１に示したキー入力部１１の下スクロールボタン１１２を押下すると、表示部１２の表示画面の表示領域の表示は、その中央にデータＤ２が表示され、その上下にデータＤ１、Ｄ３が表示される状態１２２−２に遷移する。
【０１３８】
また、初期状態１２２−１において、図１に示したキー入力部１１の右スクロールボタン１１３を押下すると、表示領域の表示は、その中央にデータＦ１が表示され、その上下にデータＦｎ、Ｆ２が表示される状態１２２−３に遷移する。
【０１３９】
この状態で、更に、下スクロールボタン１１２を押下すると、表示部１２の表示画面の表示領域の表示は、その中央にデータＦ２が表示され、その上下にデータＦ１、Ｆ３が表示される状態１２２−４に遷移する。
【０１４０】
また、初期状態１２２−３において、図１に示したキー入力部１１の右スクロールボタン１１３を押下すると、表示領域の表示は、その中央にデータＲ１が表示され、その上下にデータＲｎ、Ｒ２が表示される状態１２２−５に遷移する。
【０１４１】
この状態で、更に、下スクロールボタン１１２を押下すると、表示部１２の表示画面の表示領域の表示は、その中央にデータＲ２が表示され、その上下にデータＲ１、Ｒ３が表示される状態１２２−６に遷移する。
【０１４２】
なお、状態１２２−２で上スクロールボタン１１１を押下すると、表示領域１２０の表示は初期状態１２２−１に遷移し、状態１２２−４で上スクロールボタン１１１を押下すると、表示領域１２０の表示は初期状態１２２−３に遷移し、状態１２２−６で上スクロールボタン１１１を押下すると、表示領域１２０の表示は初期状態１２２−５に遷移する。
【０１４３】
また、状態１２２−５で右スクロールボタン１１３を押下すると、表示領域１２０の表示は初期状態１２２−１に遷移する。
【０１４４】
また、状態１２２−５で左スクロールボタン１１４を押下すると、表示領域１２０の表示は状態１２２−３に遷移し、初期状態１２２−３で左スクロールボタン１１４を押下すると、表示領域１２０の表示は初期状態１２２−１に遷移し、初期状態１２２−１で更に左スクロールボタン１１４を押下すると、表示領域の表示は状態１２２−５に遷移する。
【０１４５】
この場合においても、図１に示したキー入力部１１の図示しない発呼ボタンを押下して発呼操作を行えば、表示領域１２０の中央に表示される固定の相手先を示すデータに対応する相手先を呼び出すことができる。
【０１４６】
ここで、例えば、第２のメモリ領域１３０ｂおよび第２のメモリ領域１３０ｃに記憶するデータを、従来の電話帳機能を実現するために記憶されるデータ、例えば、発信頻度の高い発信先電話番号や、不在着信した時の発信者電話番号、着信したときの発信者電話番号やメッセージを送信する発信先電話番号とすれば、従来のリダイヤル機能より記憶された相手先データと電話帳機能により記憶されたデータとを左右スクロールボタンでリンクさせることで操作性のよい発呼を行うことが可能になる。
【０１４７】
更に上、下、左、右スクロール機能を合わせて持つ４方向マルチファンクションキーを使うことで、このような何通りかに区分けされた電話番号を１つのキー操作で実現でき、操作性の向上が更に見込める。
【図面の簡単な説明】
【０１４８】
【図１】この発明に係わる第１の実施の形態の通信端末装置の構成を示すブロック図である。
【図２】図１に示した通信端末装置の処理の流れを示すフローチャートである。
【図３】図１に示したメモリ内でのメモリ領域と相手先電話番号の関係を示した図である。
【図４】この発明の第２の実施の形態におけるメモリ内でのメモリ領域と相手先電話番号の関係を示した図である。
【図５】この発明の第３の実施の形態におけるメモリ内でのメモリ領域と相手先電話番号の関係を示した図である。
【図６】この発明の第４の実施の形態におけるメモリ内でのメモリ領域と相手先電話番号の関係を示した図である。
【図７】図１に示したメモリのリダイヤル記憶領域に記憶されるデータの具体例を示す図である。
【図８】図７に示したリダイヤル記憶領域のメモリ構造を示す図である。
【図９】図８に示したメモリ構造をとる場合の図１に示した表示部の表示画面に表示されるデータのスクロールの様子を示す図である。
【図１０】図１に示したメモリのメモリ領域に記憶されるデータの他の具体例を示す図である。
【図１１】図１０に示したデータ構成をとる場合の図１に示した表示部の表示画面に表示されるデータのスクロールの様子を示す図である。
【図１２】図１に示した通信端末装置の制御部の制御によりメモリのメモリ領域に記憶されるデータの他の例を示す図である。
【図１３】図１２に示したメモリ領域のメモリ構造を示す図である。
【図１４】図１３に示したメモリ構造をとる場合の図１に示した表示部の表示画面に表示されるデータのスクロールの様子を示す図である。
【図１５】図１に示した通信端末装置の制御部の制御によりメモリのメモリ領域に記憶されるデータの更に他の例を示す図である。
【図１６】図１５に示したメモリ領域のメモリ構造を示す図である。
【図１７】図１６に示したメモリ構造をとる場合の図１に示した表示部の表示画面に表示されるデータのスクロールの様子を示す図である。
【図１８】従来のリダイヤル機能を説明する図である。
【符号の説明】
【０１４９】
１    アンテナ
２    送受信切換部
３    送信部
４    変調部
５    マイクロフォン
６    受信部
７    復調部
８    スピーカ
９    消去禁止手段
１０    制御部
１１    サウンダ
１２    キー入力部
１３    表示部
１４    メモリ
２０    無線電話装置
【図１】
2008054343.tif 000003
【図２】
2008054343.tif 000004
【図３】
2008054343.tif 000005
【図４】
2008054343.tif 000006
【図５】
2008054343.tif 000007
【図６】
2008054343.tif 000008
【図７】
2008054343.tif 000009
【図８】
2008054343.tif 000010
【図９】
2008054343.tif 000011
【図１０】
2008054343.tif 000012
【図１１】
2008054343.tif 000013
【図１２】
2008054343.tif 000014
【図１３】
2008054343.tif 000015
【図１４】
2008054343.tif 000016
【図１５】
2008054343.tif 000017
【図１６】
2008054343.tif 000018
【図１７】
2008054343.tif 000019
【図１８】
2008054343.tif 000020